(57)【要約】      （修正有）【課題】糸締め後の各筝糸の張力を測定できる測定器を提供する。【解決手段】吊り下げ秤４１と、長辺の一端が吊り下げ秤の側面に固定され、短辺が筝糸と筝の甲との間に配置される断面Ｌ字形状のアングル４５と、を備え、吊り下げ秤の下側に設けられた吊り下げフック４４で筝糸を引っ張ることにより筝糸の張力を測定する。【選択図】図４
0003203481.tif 000002
【実用新案登録請求の範囲】
【請求項１】
吊り下げ秤と、長辺の一端が吊り下げ秤の側面に固定され、短辺が筝糸と筝の甲との間に配置される断面Ｌ字形状のアングルと、を備え、吊り下げ秤の下側に設けられた前記吊り下げ秤のフックで前記筝糸を引っ張ることにより前記筝糸の張力を測定するようにしたことを特徴とする筝糸張力測定器。
【請求項２】
前記筝糸を引っ張る際の牽引力F1とし、前記筝糸の龍頭側の張力をF2とし、前記筝の龍角から雲角までの筝糸の長さLと筝柱の高さhとし、前記吊り下げ秤のフックから見た前記龍頭側の前記筝糸の俯角をθ1とし、数式θ1＝arctan（2 h/L）及び数式F2＝F1／（2 θ1）を用いて換算・表示するためのスイッチを設けたことを特徴とする請求項１記載の筝糸張力測定器。
【請求項３】
前記フックと前記甲との間の距離が筝柱の高さに等しいことを特徴とする請求項１記載の筝糸張力測定器。
【請求項４】
前記アングルの短辺の底面には、前記筝の甲と接する面に樹脂層が設けられていることを特徴とする請求項１記載の筝糸張力測定器。
【考案の詳細な説明】
【技術分野】
【０００１】
本考案は、筝糸の張力を測定する筝糸張力測定器に関する。
【背景技術】
【０００２】
図１（ａ）は、筝10の外観斜視図であり、図１（ｂ）は、図１（ａ）の底面図である。
筝10は、筝本体11の雲角（うんかく）12、龍角（りゅうかく）13、及び筝柱（ことじ）14で筝糸15が所定の張力で張られることで演奏できるようになっている。図中11aは龍尾、11bは龍頭（りゅうとう）と呼ばれる。筝糸15の張られている面11cは甲と呼ばれ、裏面11dを龍腹（りゅうふく）もしくは裏板（うらいた）と呼ばれる。
龍腹11dには、音の出口である音穴（おんけつ）16,17が形成されている。18は龍手（りゅうしゅ）または猫足（ねこあし）と呼ばれる。11gは、龍舌（りゅうぜつ）と呼ばれる。
雲角12及び龍角13の近傍には筝糸を通すための貫通孔が形成されており、これらの貫通孔を通して荷締機を用いた糸締めが行われている（例えば、非特許文献１、２参照）。
【先行技術文献】
【非特許文献】
【０００３】
【非特許文献１】http://www.nissindirect.com/cg/unpan/ea988xb-5.jpg
【非特許文献２】http://www.nissindirect.com/cg/unpan/ea982bb-15.jpg
【０００４】
ここで、一般的な筝10は、長さ方向及び幅方向に凸状に湾曲しているおり、本実施形態では、長さが200cm程度の一般的な筝の場合で説明するが、本考案はこれに限定されるものではなく、大正琴のような本体が平板状の形状も含まれる。
【０００５】
図２は、図１に示した筝10から筝柱14及び筝糸15を外した状態を示す外観斜視図である。
龍尾11aに筝糸15の張力による筝本体11が傷むのを防止するための矩形状の尾絹（おぎぬ）19が貼り付けられている。
【０００６】
図３（ａ）は、糸締め途中の状態を示す平面図であり、図３（ｂ）は、図３（ａ）の底面図であり、図３（ｃ）は、図３（ａ）の側面断面図である。
筝糸15の一端（図では右端）に玉21を結び付け、龍腹11dに形成された音穴17から筝糸15の他端を筝本体11の龍頭11bの近傍に形成された貫通孔11eを通す。このとき、筝糸15を保護するため、筝糸15を破線で示す布30で覆うと共に筝糸はさみ木製治具26を用いるのが好ましい。筝糸15の他端を龍角13の溝、甲11cの上、雲角12の溝、雲角12の近傍に形成された貫通孔11f、音穴16、尾絹19を通って再び雲角12の溝を通って秤22の一端に取付けられる。秤22の他端に荷締機23及びロープ24を取り付けて筝本11の龍舌11gを経て音穴24にロープ24に取付けられたフック25を引っかける。
【０００７】
筝糸15に所定の張力、例えば、20kg重（＝19.6N）を付与するように、荷締機23で筝糸15を締め付ける。
筝糸15に所定の張力が付与されると、筝糸15を一本ずつ龍尾11a側の筝糸15に結び目15aを作り、筝糸15aを引っ張ってたるんだ箇所を引っ張り直して結ぶ。全ての筝糸15の締め付けが終了すると、秤22、ロープ24、フック25、及び筝糸はさみ木製治具26を取り外すことにより筝糸15の取付けが終了する。
【考案の概要】
【考案が解決しようとする課題】
【０００８】
しかしながら、糸締め中は秤22を筝糸15の途中に取付けることにより張力を測定することができるが、筝糸15aを引っ張ってたるんだ箇所を引っ張り直して結ぶことにより雲角12と龍角13との間の筝糸15の張力が変化する。この変化後の張力については、秤22は、筝本体11の龍尾11aの表から裏にわたって形成されたループ側の筝糸15と雲角12と龍角13との間の筝糸15との合力を測定することになり、雲角12と龍角13との間の筝糸15の張力を測定することはできなくなる。また、秤22はロープ24ごと筝本体11から取り外すことになるので、秤22を筝糸15から取り外した後は雲角12と龍角13との間の筝糸15の張力の測定はできず、糸締め後に筝糸の張力を直接測定する方法はなかった。
そこで、本考案の目的は、糸締め中であっても糸締め後であっても各筝糸の張力を直接測定することにある。
【課題を解決するための手段】
【０００９】
かかる目的を達成するために、請求項１記載の考案は、吊り下げ秤と、長辺の一端が吊り下げ秤の側面に固定され、短辺が筝糸と筝の甲との間に配置される断面Ｌ字形状のアングルと、を備え、吊り下げ秤の下側に設けられた前記吊り下げ秤のフックで前記筝糸を引っ張ることにより前記筝糸の張力を測定するようにしたことを特徴とする。
【考案の効果】
【００１０】
本考案によれば、糸締め中であっても糸締め後であっても各筝糸の張力を直接測定する筝糸張力測定器の提供が可能となる。
【図面の簡単な説明】
【００１１】
【図１】（ａ）は、筝10の外観斜視図であり、（ｂ）は、（ａ）の底面図である。
【図２】図１に示した筝10から筝柱14及び筝糸15を外した状態を示す外観斜視図である。
【図３】（ａ）は、糸締め途中の状態を示す平面図であり、（ｂ）は、（ａ）の底面図であり、（ｃ）は、（ａ）の側面断面図である。
【図４】（ａ）は、本考案に係る筝糸張力測定器の正面図であり、（ｂ）は、（ａ）の側面図である。
【図５】（ａ）は、図４（ａ）、（ｂ）に示した筝糸張力測定器40を用いて筝糸15の張力を測定する状態を示す図であり、（ｂ）は、（ａ）に示した筝糸15とフック44との接点についてベクトル解析する場合の説明図である。
【考案を実施するための形態】
【００１２】
図４（ａ）は、本考案に係る筝糸張力測定器の正面図であり、図４（ｂ）は、図４（ａ）の側面図である。
【００１３】
＜構成＞
図４（ａ）、（ｂ）に示す筝糸張力測定器40は、例えば、デジタル式の吊り下げ秤41と、長辺45aの一端が吊り下げ秤41の側面に固定された断面Ｌ字形状のアングル45とで構成される。
吊り下げ秤41は、鞄等を吊り下げるためのデジタル式の表示部42と、電源スイッチ43と、フック44とを有する市販の吊り下げ秤である。
アングル45の短辺45bの底面には、筝10の甲11cと接する面に樹脂層46が設けられている。樹脂層46としては、例えば、数mm程度のシリコーンゴム、ポリスチレン等が挙げられる。
樹脂層46の底面からフック44の屈曲部の内側の最下点までの距離hは、筝柱14の高さ60mmに等しいのが好ましい。尚、樹脂層46の厚さは測定時の誤差の範囲内と考えられる。
【００１４】
＜作用＞
図５（ａ）、（ｂ）は、図４（ａ）、（ｂ）に示した筝糸張力測定器40を用いて筝糸15の張力を測定する状態を示す図であり、図５（ｂ）は、図５（ａ）に示した筝糸15とフック44との接点についてベクトル解析する場合の説明図である。
図５（ａ）に示す筝10の甲11cと筝糸15との間に樹脂層46が甲11cと接触するように筝糸張力測定器40を配置し、筝糸15をフック44に引っかける。筝糸15をフック44に引っかけることにより、筝柱14を挿入した状態とほぼ同一となる。筝糸張力測定器40の表示部42には一例として3065g（＝30.037N）と表示されている。
【００１５】
ここで、図５（ｂ）に示す吊り下げ秤41による牽引力をF1とし、筝糸15の龍角13側の張力をF2とし、雲角12側の張力をF3とし、吊り下げ秤41のフック44から見た龍角13側の筝糸15の俯角をθ1とし、雲角12側の筝糸15の俯角をθ2とし、甲11cから吊り下げ秤41のフック44の筝糸15との接触点までの高さをh1とし、甲11cの湾曲による甲11cの頂点から龍角13と雲角12とを結ぶ直線におろした垂線の長さをh2とすると、作用反作用の法則（ニュートンの第三法則）により数式（１）が成立する。
F1＝F2×sinθ1＋F3×sinθ2                        …（１）
例えば、筝10の龍角13から雲角12までの間の長さをLとし、甲11cから筝糸15までの高さをh1とすると、筝10の中央において筝糸張力測定器40で筝糸張力を測定する場合、θ1＝θ2であり、F2＝F3と考えられるから、数式（２）が成立する。
【００１６】
tanθ1＝（h１＋h2）／（L／2）
＝2×（h1＋h2）／L                              …（２）
数式（２）にh1（例えば、6cm）、h2（例えば、1cm）及びL（例えば、180cm）を代入してθ1を求めると、
θ1＝arctan（7cm／90cm）
＝0.077rad（＝4.44度）
となる。
【００１７】
また、θ1は微小角度のため、マクローリン展開によりsinθ1≒θ1とみなすことができる。
従って、数式（１）は数式（３）で表すことができる。
F1＝F2×sinθ1＋F2×sinθ1
＝2×F2 sinθ1                                …（３）
【００１８】
従って、
F1＝2×F2 θ1となり、数式（４）が成立する。
F2＝F1／（2×θ1）                              …（４）
この数式（４）に数値を代入することで筝糸15の張力が得られる。
例えば、F1に3.065kg及びθ1に0.077を代入すると、F2は、
F2＝3.065（kg重）／（2×0.077）
＝19.90kg重（＝195.05N）となる。
筝糸15を荷締め機23で牽引したときは20.00kg重（＝196.00N）であったが、筝糸15を緩めたり締め付けたりして調整することにより変動するためである。
【００１９】
ここで、吊り下げ秤41に計算機能を設け、龍角13から雲角12までの間の筝糸15の長さLと筝柱14の高さであるh1を入力すると、角度θ1（＝arctan（2（h1＋h2）/L））が計算されて吊り下げ秤41の牽引力F1を張力に換算するようにしてもよい。この場合、別途換算スイッチ及びテンキー等のスイッチ類を設ける必要があるが、一般的な筝の龍角13から雲角21までの長さ及び筝柱の高さを予め設定しておけば、図５に示すように「オン→牽引力→張力→オフ→オン」のような表示の通り電源スイッチ43一つですむ。
【００２０】
筝10を演奏することにより、経年変化や使用状態により徐々に筝糸15の張力が低下するので、その都度筝糸張力測定器40で筝糸15の張力を測定することで、筝糸15の交換時期を知ることができる。
尚、筝糸15の張力の測定は龍角13と雲角12との間の筝糸15の中央の位置で測定するのが好ましい。
【００２１】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。例えば、上述した実施の形態では、デジタル式の吊り下げ秤を用いた場合で説明したが、本考案はこれに限定されるものではなく、アナログ式の吊り下げ秤を用いてもよい。また、上述した実施の形態では樹脂層を用いたが、本考案はこれに限定されず、樹脂層は無くてもよい。また、上述した実施の形態では、十三弦筝の場合で説明したが、十七弦筝の場合であってもよく、大正琴のような筝柱を用いないものや、本体が平板状のものであっても適用可能である。但し、本体が平板状の場合には、上述した数式（２）のh2は1cmではなく、甲から弦までの高さを1cmとした場合、−1cmとなる。
【符号の説明】
【００２２】
１０    筝
１１    筝本体
１１ａ    龍尾
１１ｂ    龍頭
１１ｃ    甲
１１ｄ    龍腹
１１ｅ、１１ｆ    貫通孔
１１ｇ    龍舌
１２    雲角
１３    龍角
１４    筝柱
１５    筝糸
１６、１７    音穴
１８    龍手（猫足）
２２    秤
２３    荷締め機
２６    筝糸はさみ木製治具
４０    筝糸張力測定器
４１    吊り下げ秤
４２    表示部
４３    電源スイッチ
４４    フック
４５    アングル
４６    樹脂層
【図１】
0003203481.tif 000003
【図２】
0003203481.tif 000004
【図３】
0003203481.tif 000005
【図４】
0003203481.tif 000006
【図５】
0003203481.tif 000007